(57)【要約】【課題】複数のサービスを関連させて放送するような場合に、関連するサービスを受信するための選局から映像出力までが素早く行えないと、視聴者はストレスを感じてしまうことになり、場合によっては、視聴を断念してしまうことも考えられる。【解決手段】データ取得部２２が取得した複数のサービスの各データと、関連情報取得部２３が取得した複数のサービスの関連性を示す情報とを多重化して送信する送信部２６とを備える送信装置１２。チューナ１３が、受信した放送波から各サービスのデータと複数のサービスの関連性を示す情報とを取得し、音声デコード部１５及び映像デコード部１６が、選択したサービスのデータをデコードすると共に、複数のサービスの関連性を示す情報に基づいて、選択したサービスに関連する他のサービスのデータもデコードするように制御する制御部２０とを備える受信装置１１。【選択図】図２
2010034942.tif 000002
【特許請求の範囲】
【請求項１】
複数のサービスの各データを取得するデータ取得部と、
前記複数のサービスの関連性を示す情報を取得する関連情報取得部と、
前記データ取得部が取得した複数のサービスの各データと、前記関連情報取得部が取得した複数のサービスの関連性を示す情報とを多重化して送信する送信部と
を備える送信装置。
【請求項２】
複数のサービスの各データと、該複数のサービスの関連性を示す情報とが多重化された放送波を受信する受信部と、
該受信部が受信した放送波から各サービスのデータと、前記複数のサービスの関連性を示す情報とを取得する取得部と、
取得部が取得したサービスのデータをデコードするデコード部と、
該デコード部が、選択したサービスのデータをデコードすると共に、前記複数のサービスの関連性を示す情報に基づいて、該選択したサービスに関連する他のサービスのデータもデコードするように制御する制御部と
を備える受信装置。
【請求項３】
サービスのデータに関して、前記取得部は、前記選択したサービスのデータと該選択したサービスに関連する他のサービスのデータだけを取得する請求項２に記載の受信装置。
【発明の詳細な説明】
【技術分野】
【０００１】
この発明は、２つ以上の関連するサービスの出力を素早く行うことができる送信装置及び受信装置に関する。
【背景技術】
【０００２】
従来、ＭｅｄｉａＦＬＯが知られている。ＭｅｄｉａＦＬＯとは、携帯端末向け多チャンネル放送サービスであり、移動体環境に適した技術によって、映像や音楽を配信するものである。ＭｅｄｉａＦＬＯのエアインターフェースはＦＬＯ（Ｆｏｒｗａｒｄ  Ｌｉｎｋ  Ｏｎｌｙ）と呼ばれており（非特許文献１参照）、ＦＬＯの物理層には直交周波数多重分割（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）が採用される。
【０００３】
図９は、ＦＬＯのインタレース構成を示す説明図である。図９に示すように、ＦＬＯは、６ＭＨｚの帯域幅を使用し、サブキャリアの本数は４０９６本である。この４０９６本のサブキャリアのうち、実際に使用するサブキャリアは、ガードサブキャリア９６本を除いた４０００本である。ＭｅｄｉａＦＬＯは、４０００本のサブキャリアを、８つのインタレースと呼ばれるグループに分割する。各インタレースは、４０００本のサブキャリアから８本置きに選択した５００本のサブキャリアから構成される。１つのインタレースはパイロットシンボルとして使用されるため、残りの７つのインタレースがデータ送信に使用される。ＭｅｄｉａＦＬＯでは、１つのインタレースを最小の単位として、周波数帯域に対するサービス（映像、音声、字幕など）の割り当てが行われる。
【０００４】
図１０は、ＭｅｄｉａＦＬＯのフレーム構成及びインタレースに対するサービスの割り当て例を示す説明図である。図１０に示すように、縦軸のインタレースは周波数軸における分割を表し、横軸は時間軸の分割を表している。ＭｅｄｉａＦＬＯは１秒を周期とするスーパーフレーム（１２００のＯＦＤＭシンボル）から構成され、当該スーパーフレームには４つのフレームが含まれる。ＭｅｄｉａＦＬＯの各サービスは、フレーム上のＭＬＣ（Ｍｕｌｔｉｃａｓｔ  Ｌｏｇｉｃａｌ  Ｃｈａｎｎｅｌ）と呼ばれる論理チャンネル上で運ばれる。
【０００５】
ＭＬＣは、１つ以上のインタレースと、１つ以上のＯＦＤＭシンボルとから構成される。図１０の太線で囲まれた範囲は、それぞれ異なるＭＬＣを表すものであり、各ＭＬＣには、映像、音声、および字幕などのデータが格納されている。例えば一つの映像と一つの音声とからなるサービス（即ち、番組）は、２つのＭＬＣから構成される。
【０００６】
また、例えば、図１０の斜線で示すＭＬＣのみで構成されるサービスを視聴するには、当該ＭＬＣを構成するインタレース及びＯＦＤＭシンボルのみをデコードすれば良い。このように、ＭｅｄｉａＦＬＯでは、時間領域、周波数領域を細かく分割したサービスの割り当てが行われており、必要なＭＬＣのみを選択的にデコード（間欠受信）することによって、受信機の省電力化を図ることができる。なお、ＭｅｄｉａＦＬＯでは、１つのチューナで全てのインタレースを受信することができるため、さらに数多くのＭＬＣを同時にデコードし、複数のサービスを同時に視聴することも可能である。
【０００７】
一方、統合ディジタル放送サービス（Ｉｎｔｅｇｒａｔｅｄ  Ｓｅｒｖｉｃｅｓ  Ｄｉｇｉｔａｌ  Ｂｒｏａｄｃａｓｔｉｎｇ：ＩＳＤＢ）の地上波向けの規格ＩＳＤＢ−Ｔでは、セグメントにより周波数領域の分割を行っているが、ＯＦＤＭシンボルを単位とした時間領域での分割は行っていない。このため、ＭｅｄｉａＦＬＯのように、必要なサービスのみを間欠受信することはできない。また、一つのチューナで受信できるサービスは一つであり、複数のサービスを視聴するには複数のチューナが必要となる。
【０００８】
つまり、ＩＳＤＢ−Ｔでは、基本的に１つのチューナで受信できるサービスは１つであり、視聴していないサービスのデコードは行えない。そのため、視聴サービスを切り替えた場合、切り替えたときから当該サービスのデコードを開始するため、視聴できる状態になるまでに数秒の時間を要する。
【０００９】
これに対し、ＭｅｄｉａＦＬＯでは、前述したように、視聴していないサービスの映像や音声データもフレーム内のＭＬＣで伝送されているため、あるサービスを視聴しながら別のサービスのデータを取り出すことも可能である。
【非特許文献１】ＴＩＡ−１０９９，Ｆｏｒｗａｒｄ  Ｌｉｎｋ  Ｏｎｌｙ  Ａｉｒ  Ｉｎｔｅｒｆａｃｅ  Ｓｐｅｃｉｆｉｃａｔｉｏｎ  ｆｏｒ  Ｔｅｒｒｅｓｔｒｉａｌ  Ｍｏｂｉｌｅ  Ｍｕｌｔｉｍｅｄｉａ  Ｍｕｌｔｉｃａｓｔ，Ａｕｇｕｓｔ  ２００６
【発明の開示】
【発明が解決しようとする課題】
【００１０】
しかしながら、不必要なデータをデコードすることは、ＣＰＵ（Ｃｅｎｔｒａｌ  Ｐｒｏｃｅｓｓｉｎｇ  Ｕｎｉｔ）リソースや消費電力を無駄に使ってしまうことになるため、視聴していないサービスのデコードは行われない。その結果、ＩＳＤＢ−Ｔに比べて選局が速いとされるＭｅｄｉａＦＬＯでも、選局から映像が出力されるまでに１.５秒程度の時間を要してしまうことになる。
【００１１】
ところで、従来の放送形態では、１放送事業者が２つ以上のサービスを提供し、それぞれのサービスを関連させて放送する、例えば、野球中継を放送していたサービスＡが、ある時刻からはニュースの放送に変わり、サービスＡで放送されていた野球中継は、サービスＢで引き続き放送されるというような放送形態がある。また、２つのサービスで、異なる視点で描かれた同じドラマを放送する場合や、異なる複数の視点からスポーツ中継を行う場合も考えられる。なお、これらは異なる放送事業者間で行うこともある。
【００１２】
このような場合、関連するサービスを受信するための選局から映像出力までが素早く行えないと、視聴者はストレスを感じてしまうことになり、場合によっては、視聴を断念してしまうことも考えられる。
この発明の目的は、２つ以上のサービスを関連させて放送する場合に、そのサービスを受信するための選局から映像出力までを、素早く行うことができる送信装置及び受信装置を提供することである。
【課題を解決するための手段】
【００１３】
上記目的を達成するため、この発明に係る送信装置は、複数のサービスの各データを取得するデータ取得部と、前記複数のサービスの関連性を示す情報を取得する関連情報取得部と、前記データ取得部が取得した複数のサービスの各データと、前記関連情報取得部が取得した複数のサービスの関連性を示す情報とを多重化して送信する送信部とを備えることを特徴としている。
【００１４】
また、この発明に係る受信装置は、複数のサービスの各データと、該複数のサービスの関連性を示す情報とが多重化された放送波を受信する受信部と、該受信部が受信した放送波から各サービスのデータと、前記複数のサービスの関連性を示す情報とを取得する取得部と、取得部が取得したサービスのデータをデコードするデコード部と、該デコード部が、選択したサービスのデータをデコードすると共に、前記複数のサービスの関連性を示す情報に基づいて、該選択したサービスに関連する他のサービスのデータもデコードするように制御する制御部とを備えることを特徴としている。
【００１５】
また、この発明において、サービスのデータに関して、前記取得部は、前記選択したサービスのデータと該選択したサービスに関連する他のサービスのデータだけを取得することが好ましい。
【発明の効果】
【００１６】
この発明によれば、２つ以上のサービスを関連させて放送する場合に、そのサービスを受信するための選局から映像出力までを、視聴者がストレスを感じることなく素早く行うことができる。
【発明を実施するための最良の形態】
【００１７】
以下、この発明を実施するための最良の形態について図面を参照して説明する。
図１は、この発明の一実施の形態に係るデジタル放送システムの構成を示すブロック図である。図１に示すように、デジタル放送システム１０は、受信装置１１と送信装置１２を有しており、受信装置１１は、送信装置１２から送信されるデジタル放送波を受信し、受信したデジタル放送波から各種データをデコードして出力する。この実施例におけるデジタル放送システム１０は、携帯端末向け多チャンネル放送サービスであり、移動体環境に適した技術によって、映像や音楽を配信するＭｅｄｉａＦＬＯを提供している。
【００１８】
図２は、図１の受信装置の構成を示すブロック図である。図２に示すように、受信装置１１は、チューナ１３、復調部１４、音声デコード部１５、映像デコード部１６、音声出力部１７、表示部１８、記憶部１９、及び制御部２０を有している。チューナ１３、復調部１４、音声デコード部１５、及び映像デコード部１６は、バス２１を介してそれぞれ接続されている。
【００１９】
チューナ１３は、アンテナ１３ａを介して入力した放送波を受信し、選局する。復調部１４は、チューナ１３が受信した放送波を復調し、必要なデータを取り出す。音声デコード部１５は、復調部１４から入力した視聴サービスの音声データをデコードする。映像デコード部１６は、復調部１４から入力した視聴サービスの映像データをデコードする。音声出力部１７は、例えば、スピーカ（図示しない）により、音声デコード部１５から入力したデコードした音声データに基づく音声を再生する。表示部１８は、例えば、ディスプレイ（図示しない）により、映像デコード部１６から入力したデコードした映像データである表示画面データに基づく表示画面を再生する。
【００２０】
記憶部１９には、制御プログラムや各種処理手順を規定したプログラム等のソフトウェアや各種データ等が記憶されている。制御部２０は、ＣＰＵ（Ｃｅｎｔｒａｌ  Ｐｒｏｃｅｓｓｉｎｇ  Ｕｎｉｔ）を有しており、記憶部１９に記憶されているソフトウェアや各種データ等に基づき、受信装置１１に関する各種制御を行う。
この受信装置１１により、現在放送されている複数のサービス（即ち、番組）を受信しデコードすることができる。
【００２１】
このように、受信装置１１は、複数のサービスの各データと、該複数のサービスの関連性を示す情報（後述する）とが多重化された放送波を受信するチューナ１３（受信部）と、チューナ１３が受信した放送波から各サービスのデータと、複数のサービスの関連性を示す情報とを取得する復調部１４（取得部）と、復調部１４が取得したサービスのデータをデコードする音声デコード部１５及び映像デコード部１６（デコード部）と、音声デコード部１５及び映像デコード部１６が、選択（選局）したサービスのデータをデコードすると共に、複数のサービスの関連性を示す情報に基づいて、選択（選局）したサービスに関連する他のサービスのデータもデコードするように制御する制御部２０とを備えている。
【００２２】
そして、この受信装置１１は、サービスのデータに関して、復調部１４が選択（選局）したサービスのデータと、選択（選局）したサービスに関連する他のサービスのデータだけを取得する。つまり、ＭｅｄｉａＦＬＯでは、時間領域、周波数領域を細かく分割したサービスの割り当てが行われており、音声デコード部１５及び映像デコード部１６によって必要なＭＬＣのみを選択的にデコードすることにより、受信機の省電力化を図ることができる。また、この受信装置１１は、チューナ部１３及び復調部１４を制御して必要なＭＬＣが含まれるＯＦＤＭシンボルの信号のみを選択的に受信（間欠受信）することによって、受信機の省電力化を図ることができる（図１０参照）。
【００２３】
図３は、図１の送信装置１２の構成を示すブロック図である。図３に示すように、送信装置１２は、データ取得部２２、関連情報取得部２３、多重化処理部２４、変調部２５、及び送信部２６を有している。データ取得部２２は、コンテンツ提供者から提供されたサービスのデータを取得する。関連情報取得部２３は、放送サービス提供者から提供された、サービスに関連する情報である関連サービス一覧情報を取得する。
【００２４】
多重化処理部２４は、サービスのデータと、各サービスの関連サービス一覧情報データを多重化する。変調部２５は、多重化された信号を直交周波数多重分割（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）信号に変換し、送信部２６に送る。送信部２６は、ＯＦＤＭ信号を設定された値まで増幅し、送出アンテナ２６ａから出力する。
このように、送信装置１２は、複数のサービスの各データを取得するデータ取得部２２と、複数のサービスの関連性を示す情報を取得する関連情報取得部２３と、データ取得部２２が取得した複数のサービスの各データと、関連情報取得部２３が取得した複数のサービスの関連性を示す情報とを多重化して送信する送信部２６とを備えている。
【００２５】
次に、受信装置１１における関連サービス一覧情報の処理の流れを説明する。
図４は、図２の受信装置１１における関連サービス一覧情報の処理の流れを示すフローチャートである。図４に示すように、受信装置１１における関連サービス一覧情報の処理を行う際、先ず、視聴しているサービスの付加情報に、関連サービス一覧情報が存在するかどうかを判定する（ステップＳ１０１）。判定の結果、関連サービス一覧情報が存在しない（Ｎｏ）場合、関連サービス一覧情報の処理を終了し、視聴を継続する。一方、判定の結果、関連サービス一覧情報が存在する（Ｙｅｓ）場合、その一覧情報の中に記載される各サービスＳについて、一覧に記載されている順にチェックするループ処理を開始する（ステップＳ１０２）。
【００２６】
ループ処理の開始により、サービスＳが受信されていれば、サービスＳに含まれるデータのＭＬＣの受信を開始し、それらのデータのデコードを開始する（ステップＳ１０３）。データのデコード開始により、音声デコード部１５及び映像デコード部１６が処理能力の限界か否か、即ち、デコード能力が枯渇しているか判定する（ステップＳ１０４）。
【００２７】
ステップＳ１０４における判定の結果、デコード能力が枯渇していない（Ｎｏ）場合、即ち、デコード能力をまだ十分有しているのであれば、関連サービス一覧中の次のサービスのＭＬＣの受信及びデコードを行って、関連サービス一覧情報の中に記載される各サービスＳについてループ処理を継続する。一方、デコード能力が枯渇している（Ｙｅｓ）場合、即ち、デコード能力不足によりそれ以上のデコードが行えないならば、ループ処理を抜けて処理を終了し、関連サービスのＭＬＣの受信及びデータのデコードをそれ以上行わない。
【００２８】
図５は、図２の受信装置１１における選択時の処理の流れを示すフローチャートである。図５に示すように、サービスＡからサービスＢへの選択を行う際、先ず、映像や音声をサービスＡのものからサービスＢのものに切り替える処理を行う（ステップＳ２０１）。このとき、サービスＡの受信及びデコード処理は、まだ継続しておく。その後、サービスＢの関連サービス一覧情報を取得し（ステップＳ２０２）、取得後、取得した関連サービス一覧にサービスＡが含まれているか否かを判定する（ステップＳ２０３）。
【００２９】
ステップＳ２０３における判定の結果、取得したサービスＢの関連サービス一覧にサービスＡが含まれている（Ｙｅｓ）場合、サービスＡのデコードはそのまま継続し、選択時の処理を終了する。一方、判定の結果、取得したサービスＢの関連サービス一覧にサービスＡが含まれていない（Ｎｏ）場合、サービスＡのデコードや受信処理を停止し（ステップＳ２０４）、その後、選択時の処理を終了する。選択時の処理を終了した後、上述した、受信装置１１における関連サービス一覧情報の処理（図４参照）を行う。
【００３０】
次に、番組がサービス間を移動する場合の動作例を説明する。
図６は、番組のサービス間移動時の動作例（その１）を示す説明図である。図６において、縦軸は時間の経過を表し、縦軸の左側にサービスＡを、右側にサービスＢを示す。図中、各サービスにおいて提供される番組と共に、関連サービス一覧として受信・デコード中の番組を表示し、視聴中の番組を太枠で示す。
図６に示すように、先ず、サービスＡにおいて番組Ｘが放送されている（（ａ）参照）。この時点で、サービスＢではサービスＡと関連のない番組が放送されており、サービスＡの関連サービスは存在しない。
【００３１】
次に、番組ＸがサービスＡからサービスＢへ移動する一定時間前になり、送信装置１２は、番組Ｘを放送しているサービスＡの関連サービス一覧に移動先のサービスＢを含めて、放送（送信）する（（ｂ）参照）。これにより、受信装置１１において、サービスＢで放送されている番組Ｙの受信及びデコードが開始されるので、サービスＡを視聴している視聴者は、移動時間になった時点で素早くサービスＢへ切り替えることができる。つまり、ＭｅｄｉａＦＬＯにおいては、視聴していないサービスの映像や音声データもフレーム内のＭＬＣで伝送されているため、サービスＡを視聴しながらサービスＡとは別のサービスであるサービスＢのデータも取り出すことができる。
【００３２】
次に、番組の移動時間になり、番組ＸがサービスＡからサービスＢに移動し、視聴するサービスも、サービスＡからサービスＢに移動する（（ｃ）参照）。即ち、切替前のサービスＡとは別のサービスであるサービスＢで、サービスＡで放送されていた番組Ｘが継続して放送される。このとき、サービスＢの関連サービス一覧情報にサービスＡは含まれていないため、サービスＡの受信及びデコードは停止される。
次に、サービスＢで放送していた番組Ｘが終了すると、サービスＢでは、別の番組Ｚが放送される（（ｄ）参照）。ここでも、サービスＢの関連サービス一覧情報に他のサービスを示す情報が含まれていないため、他のサービスの受信及びデコードは行われない。
【００３３】
図７は、番組のサービス間移動時の動作例（その２）を示す説明図である。図７において、縦軸は時間の経過を表し、縦軸の左側にサービスＡを、右側にサービスＢを示す。図中、各サービスにおいて提供される番組と共に、関連サービス一覧として受信・デコード中の番組を表示し、視聴中の番組を太枠で示す。この番組のサービス間移動の動作例においては、サービス移動時に視聴サービスを切り換えない。
図７に示すように、先ず、サービスＡにおいて番組Ｘが放送されている（（ａ）参照）。この時点で、サービスＢではサービスＡと関連がない番組が放送されており、サービスＡの関連サービスは存在しない。
【００３４】
次に、番組ＸがサービスＡからサービスＢへ移動する一定時間前になり、送信装置１２は、番組Ｘを放送しているサービスＡの関連サービス一覧に、移動先のサービスＢを含めて放送する（（ｂ）参照）。これにより、受信装置１１において、サービスＢで放送されている番組Ｙの受信及びデコードが開始されるので、サービスＡを視聴している視聴者は、移動時間になった時点で素早くサービスＢへ切り替えることができる。つまり、ＭｅｄｉａＦＬＯにおいては、視聴していないサービスの映像や音声データもフレーム内のＭＬＣで伝送されているため、サービスＡを視聴しながら別のサービスであるサービスＢのデータも取り出すことができる。
【００３５】
次に、番組の移動時間になり、番組ＸがサービスＡからサービスＢに移動するが、視聴するサービスは、サービスＡのままであり、サービスＡでは番組Ｗが放送されている（（ｃ）参照）。即ち、切替前のサービスＡとは別サービスのサービスＢで、サービスＡで放送されていた番組Ｘを継続して放送している。このとき、サービスＡの関連サービス一覧情報にサービスＢが含まれているため、サービスＢの受信及びデコードは継続される。
【００３６】
次に、サービスＢで放送していた番組Ｘが終了すると、この段階で、送信装置１２は、サービスＡの関連サービス一覧からサービスＢを除外する。サービスＡでは番組Ｗが放送されている（（ｄ）参照）。つまり、番組ＸがサービスＡからサービスＢへ移動する一定時間前の状態と、番組の移動時間になった状態とでは、サービスＡとサービスＢの２つのサービスが受信及びデコードされている状態となるが、サービスＢで放送していた番組Ｘが終了した状態では、サービスＡの関連サービス一覧からサービスＢが除外されて、サービスＢの受信及びデコードが停止される。
【００３７】
図８は、相互に関連付けられた番組を視聴する場合の動作例を示す説明図である。図８において、縦軸は時間の経過を表し、縦軸の左側にサービスＡを、右側にサービスＢを示す。図中、各サービスにおいて提供される番組と共に、関連サービス一覧として受信及びデコード中の番組を表示し、視聴中の番組を太枠で示す。
図８に示すように、先ず、サービスＡにおいて番組が放送されている（（ａ）参照）。この時点で、サービスＢでは関連のない番組が放送されており、サービスＡの関連サービスは存在しない。従って、この段階では、視聴中であるサービスＡのみが受信及びデコードされている。
【００３８】
次に、サービスＡとサービスＢで相互に関連のある番組が開始される一定時間前となり、送信装置１２は、番組Ｖを放送しているサービスＡの関連サービス一覧に、サービスＢを含めて放送し、番組Ｗを放送しているサービスＢの関連サービス一覧に、サービスＡを含めて放送する（（ｂ）参照）。
【００３９】
これにより、受信装置１１において、サービスＢで放送されている番組Ｗの受信及びデコードが開始されるので、サービスＡを視聴している視聴者は、サービスＡが番組Ｘになり、移動時間になった時点で素早くサービスＢの番組Ｙへ切り替えることができる（（ｃ）参照）。つまり、ＭｅｄｉａＦＬＯにおいては、視聴していないサービスの映像や音声データもフレーム内のＭＬＣで伝送されているため、サービスＡを視聴しながら別のサービスであるサービスＢのデータも取り出すことができる。
【００４０】
また、相互関連番組の開始時間になって、サービスＡで番組Ｘが関連サービス一覧にサービスＢを含んで送信され、サービスＢで番組Ｙが関連サービス一覧にサービスＡを含んで送信される。そして、サービスＡの番組Ｘ、サービスＢの番組Ｙの受信及びデコードが継続される。ここで、ユーザが、視聴サービスをサービスＢに切り換えて番組Ｙを視聴する（（ｃ）参照）。番組Ｘと番組Ｙは、相互に関連のある番組であり、番組Ｙは、既にデコードが開始されているため、選局後、直ぐに番組を見ることができる。また、サービスＢの関連サービス一覧に、サービスＡが含まれているため、視聴していないサービスＡの受信・デコードも継続して行われる。
【００４１】
次に、相互関連番組の放送中に、サービスＢからサービスＡに視聴サービスを切り替えて、サービスＡの番組Ｘを視聴する（（ｄ）参照）。この状態でのサービスＡとサービスＢの映像や音声等の出力は直ぐに行うことができる。つまり、送信装置１２が、番組Ｘを放送しているサービスＡの関連サービス一覧に、サービスＢを含めて放送し、番組Ｙを放送しているサービスＢの関連サービス一覧に、サービスＡを含めて放送しているので、サービスＡとサービスＢの２つのサービスの受信及びデコードがされている状態となっている。
【００４２】
次に、相互関連番組である、サービスＡの番組ＸとサービスＢの番組Ｙが終了すると、サービスＡでは、別の番組Ｚが放送される（（ｄ）参照）。この段階で、サービスＡの関連サービス一覧からサービスＢが除外されたため、サービスＢの受信及びデコードは停止され、サービスＡとサービスＢの２つのサービスが受信及びデコードされている状態は終了する。
【００４３】
このように、この発明に係る、ＭｅｄｉａＦＬＯ放送を送信する送信装置（放送装置）１２は、あるサービスに関連するサービスの一覧情報である関連サービス一覧情報を、当該サービスの付加情報として送信する。また、この発明に係る、ＭｅｄｉａＦＬＯ放送を受信する受信装置１１は、送信装置１２から送信された関連サービス一覧情報を受信し、当該関連サービス一覧情報に含まれるサービスの受信を開始して、サービスに含まれる各種データのデコードを開始する。
【００４４】
つまり、放送局側が意図する関連した各サービスに対し、送信装置側で関連しているサービスの一覧情報を付加し、関連サービス情報が付加されたサービスを受信した受信装置は、現在視聴しているサービスの他に、関連したサービスに含まれるデータのＭＬＣの受信を開始して、当該サービスの映像データや音声データ等のデコードを、現在視聴しているサービスと並行して行う。
【００４５】
これにより、視聴者は、放送事業者側が意図した関連サービスへの選択がストレスなく素早く行えるようになり、視聴者へのストレスが緩和されることで、放送事業者側も関連したサービスの放送がし易くなって、放送形態の自由度が増す。
なお、本発明は、上述した実施の形態により説明したが、この実施の形態に限定されるものではない。従って、本発明の趣旨を逸脱することなく変更態様として実施するものも含むものである。
例えばデジタル放送システムは、ＭｅｄｉａＦＬＯに限定するものではない。地上波デジタル放送や衛星放送の場合では、受信装置にチューナーやデコーダを複数備え、放送装置（送信装置）が送信する関連サービスを受信して、デコードするようにすれば良い。
【図面の簡単な説明】
【００４６】
【図１】この発明の一実施の形態に係るデジタル放送システムの構成を示すブロック図である。
【図２】図１の受信装置の構成を示すブロック図である。
【図３】図１の送信装置の構成を示すブロック図である。
【図４】図２の受信装置における関連サービス一覧情報の処理の流れを示すフローチャートである。
【図５】図２の受信装置における選択時の処理の流れを示すフローチャートである。
【図６】番組のサービス間移動時の動作例（その１）を示す説明図である。
【図７】番組のサービス間移動時の動作例（その２）を示す説明図である。
【図８】相互に関連付けられた番組を視聴する場合の動作例を示す説明図である。
【図９】ＦＬＯのインタレース構成を示す説明図である。
【図１０】ＭｅｄｉａＦＬＯのフレーム構成及びインタレースに対するサービスの割り当て例を示す説明図である。
【符号の説明】
【００４７】
１０  デジタル放送システム
１１  受信装置
１２  送信装置
１３  チューナ
１３ａ  アンテナ
１４  復調部
１５  音声デコード部
１６  映像デコード部
１７  音声出力部
１８  表示部
１９  記憶部
２０  制御部
２１  バス
２２  データ取得部
２３  関連情報取得部
２４  多重化処理部
２５  変調部
２６  送信部
２６ａ  送出アンテナ
【図１】
2010034942.tif 000003
【図２】
2010034942.tif 000004
【図３】
2010034942.tif 000005
【図４】
2010034942.tif 000006
【図５】
2010034942.tif 000007
【図６】
2010034942.tif 000008
【図７】
2010034942.tif 000009
【図８】
2010034942.tif 000010
【図９】
2010034942.tif 000011
【図１０】
2010034942.tif 000012